(57)【要約】【課題】製造コストを抑える。【解決手段】便器洗浄用吐水路Ａは、便鉢部１１を有する便器本体１０に取り付けられ、便鉢部１１のリム通水路２１Ｌ，２１Ｒ内に洗浄水Ｗを吐水するためのものであって、リム通水路２１Ｌ，２１Ｒの外部に配置される上流側吐水管４０と、リム通水路２１Ｌ，２１Ｒ内に臨む吐水口５６Ｌ，５６Ｒを有し、上流側吐水管４０に対して着脱可能な下流側吐水管５５Ｌ，５５Ｒとを備えて構成されている。【選択図】図３
2014114637.tif 000002
【特許請求の範囲】
【請求項１】
便鉢部を有する便器本体に取り付けられ、前記便鉢部のリム通水路内に洗浄水を吐水するための便器洗浄用吐水路であって、
前記リム通水路の外部に配置される上流側吐水管と、
前記リム通水路内に臨む吐水口を有し、前記上流側吐水管に対して着脱可能な下流側吐水管とを備えて構成されていることを特徴とする便器洗浄用吐水路。
【請求項２】
前記上流側吐水管が、二股に分岐した分岐流路を有しており、
一対の前記下流側吐水管が、前記分岐流路に離脱可能に接続されていることを特徴とする請求項１記載の便器洗浄用吐水路。
【請求項３】
前記上流側吐水管の下流端部に設けられ、前記上流側吐水管を前記便器本体に固定する固定部と、
前記下流側吐水管の上流端部に形成され、前記上流側吐水管と前記便器本体との間で挟まれることによって固定される係止部とを備えていることを特徴とする請求項１又は請求項２記載の便器洗浄用吐水路。
【請求項４】
前記便器本体に組み付けられる固定具を備え、
前記固定具は、
前記固定部に係止することで、前記上流側吐水管を前記便器本体に固定するロック部と、
前記係止部を前記上流側吐水管との間で挟み付けることで、前記下流側吐水管の前記上流側吐水管に対する相対変位を規制する規制部を備えていることを特徴とする請求項３記載の便器洗浄用吐水路。
【発明の詳細な説明】
【技術分野】
【０００１】
本発明は、便器洗浄用吐水路に関する。
【背景技術】
【０００２】
特許文献１には、水洗式大便器に設けた便鉢部の左右２つのリム通水路に、洗浄水を分配して吐水するための便器洗浄用吐水路が開示されている。この便器洗浄用吐水路は、１本の本管から、左右２本の分岐管を延ばした形態である。本管に供給された洗浄水は、２本の分岐管を通って左右のリム通水路に向けて吐水される。
【先行技術文献】
【特許文献】
【０００３】
【特許文献１】特開平０８−０４１９５０号公報
【発明の概要】
【発明が解決しようとする課題】
【０００４】
上記特許文献１の便器洗浄用吐水路は、本管と２本の分岐管が、一体部品として製造されたものであった。そのため、リム通水路の形状や長さ等が異なる複数種類の水洗式大便器に対しては、種類毎に個別に便器洗浄用吐水路を製造する必要がある。便器洗浄用吐水路は単一部品であるから、成型用の金型が大型となり、コストが高くなる。そして、製造する種類数が多くなるほど、コストの増大が著しくなる。
本発明は、上記従来の実情に鑑みてなされたものであって、製造コストを抑えることを解決すべき課題としている。
【課題を解決するための手段】
【０００５】
本発明の便器洗浄用吐水路は、
便鉢部を有する便器本体に取り付けられ、前記便鉢部のリム通水路内に洗浄水を吐水するための便器洗浄用吐水路であって、
前記リム通水路の外部に配置される上流側吐水管と、
前記リム通水路内に臨む吐水口を有し、前記上流側吐水管に対して着脱可能な下流側吐水管とを備えて構成されていることを特徴とする。
【発明の効果】
【０００６】
この便器洗浄用吐水路は、上流側吐水管と下流側吐水管とに分離した形態となっているので、リム通水路の形状や長さ等の形態が異なる複数種類の便器本体に対応させる場合は、上流側吐水管を共通部品とし、下流側吐水管をリム通水路の形態に応じた複数種類の部品を製造すればよい。下流側吐水管を成型するための金型は、便器洗浄用吐水路を単一部品として製造するための金型に比べて小型であるから、金型コストが安価に抑えられる。したがって、下流側吐水管の種類数が増えても、製造コストを極力低く抑えることが可能である。
【図面の簡単な説明】
【０００７】
【図１】実施例１の便器洗浄用吐水路の一部を分解した状態の斜視図
【図２】便器洗浄用吐水路と固定具を分離した状態の斜視図
【図３】便器洗浄用吐水路を取り付けた水洗式大便器の平断面図
【図４】便器洗浄用吐水路と固定具の分解状態の平断面図
【図５】図３の部分拡大図
【図６】便器洗浄用吐水路を取り付けた水洗式大便器の側断面図
【発明を実施するための形態】
【０００８】
本発明の便器洗浄用吐水路は、
前記上流側吐水管が、二股に分岐した分岐流路を有しており、
一対の前記下流側吐水管が、前記分岐流路に離脱可能に接続されていてもよい。
この構成によれば、リム通水路の上流端が、便鉢部の左右に分岐して配置されていても、各リム通水路の形態の相違に対し、下流側吐水管を個別に対応させることができる。
【０００９】
本発明の便器洗浄用吐水路は、
前記上流側吐水管の下流端部に設けられ、前記上流側吐水管を前記便器本体に固定する固定部と、
前記下流側吐水管の上流端部に形成され、前記上流側吐水管と前記便器本体との間で挟まれることによって固定される係止部とを備えていてもよい。
この構成によれば、便器本体に対して上流側吐水管を固定するための固定部を利用して、下流側吐水管を便器本体に固定したので、上流側吐水管と下流側吐水管を別々の固定手段で個別に便器本体に固定する場合に比べて、部品点数と作業工数を削減することが可能である。
【００１０】
本発明の便器洗浄用吐水路は、
前記便器本体に組み付けられる固定具を備え、
前記固定具は、
前記固定部に係止することで、前記上流側吐水管を前記便器本体に固定するロック部と、
前記係止部を前記上流側吐水管との間で挟み付けることで、前記下流側吐水管の前記上流側吐水管に対する相対変位を規制する規制部を備えていてもよい。
この構成によれば、ロック部を固定部に係止させ、係止部を規制部と上流側吐水管との間で挟み付ければ、上流側吐水管と下流側吐水管が纏めて便器本体に固定される。したがって、作業性に優れる。
【００１１】
＜実施例１＞
以下、本発明を具体化した実施例１を図１〜図６を参照して説明する。本実施例１の便器洗浄用吐水路Ａは、便器本体１０と便器洗浄タンク３０を備えて構成される水洗式大便器Ｂに取り付けられ、便鉢部１１のリム通水路２１Ｌ，２１Ｒ内に洗浄水Ｗを吐水するためのものである。洗浄水Ｗとしては、水道水の他に、井戸水や中水が利用される。
【００１２】
＜便器本体１０＞
便器本体１０は、陶器製であって、図６に示すように、便鉢部１１と、便鉢部１１の下流側に連通した屈曲経路の便器排水管部１２と、便鉢部１１を全周に亘って包囲する周壁部１３とを一体に形成したものである。便器排水管部１２の下端は、排水接続管１４を介して、床面Ｆの排水管１５に接続されている。便鉢部１１内の貯留水、便鉢部１１に吐水された洗浄水Ｗ及び汚物は、便器排水管部１２と排水接続管１４と排水管１４を順に通って排出される。便鉢部１１の下端側部分と便器排水管部１２の上流端側部分は、封水部を構成する。
【００１３】
便器本体１０の周壁部１３で囲まれた内部空間のうち便鉢部１１よりも後方の領域には、便器排水管部１２の端部を支持するための略水平な支持壁部１７が形成されている。便器本体１０内の空間のうち便鉢部１１よりも後方で、支持壁部１７よりも上方の領域は、便器洗浄タンク３０の一部と便器洗浄用吐水路Ａを収容するための上部収容空間１８となっている。便器本体１０の内部空間のうち支持壁部１７よりも下方であって、便鉢部１１の下方の空間を含む領域は、便器洗浄タンク３０を収容するための下部収容空間１９となっている。上部収容空間１８は、左右両側と後側が周壁部１３で区画され、前側が便鉢部１１の後壁部２０で区画されている。また、上部収容空間１８は、上方に開放されている。
【００１４】
図３に示すように、便鉢部１１には、その開放された上端の周縁に沿うように左右一対のリム通水路２１Ｌ，２１Ｒが形成されている。右側のリム通水路２１Ｒは、前後方向に細長く延びている。右側のリム通水路２１Ｒの後端は後壁部２０で閉塞されている。右側のリム通水路２１Ｒの前端は、便鉢部１１の前後方向における略中央位置において、便鉢部１１の内部（貯水空間）と連通している。左側のリム通水路２１Ｌは、便鉢部１１の後端部に位置する。左側のリム通水路２１Ｌは、その右壁部において便鉢部１１の内部に連通している。
【００１５】
便鉢部１１の後壁部２０には、後述する便器洗浄用吐水路Ａを取り付けるための手段として、前後方向に貫通する左右一対の円形の取付孔２２が形成されている。便器洗浄用吐水路Ａが取り外されている状態では、取付孔２２を介して、左右のリム通水路２１Ｌ，２１Ｒが上部収容空間１８と連通する。また、便器洗浄用吐水路Ａを便器本体１０に組み付けた状態では、取付孔２２がシールされ、リム通水路２１Ｌ，２１Ｒと上部収容空間１８とが液密状に区画される。
【００１６】
左右両取付孔２２には、夫々、便器洗浄用吐水路Ａを便器本体１０に固定するための固定手段として、固定具２３が組み付けられている。図４，５に示すように、固定具２３は、複数の部品２３ａ〜２３ｄを組み付けることにより、軸線を前後方向（取付孔２２と同軸状）に向けた筒状に構成されている。固定具２３は、後壁部２０に対し、前後方向の移動を規制された状態で、且つ取付孔２２の内周と固定具２３の外周との隙間における液体の流動を規制した状態で組み付けられている。
【００１７】
図２，５に示すように、固定具２３には、後方へ片持ち状に延出した形態であって弾性撓み可能な上下一対のロック部２４が形成されている。固定具２３の内周のうちロック部２４よりも前方の領域、シール面２５となっている。固定具２３の内周のうちシール面２５よりも前方には、前側が後側に比べて小径とした段差状の規制部２６が形成されている。
【００１８】
＜便器洗浄タンク３０＞
便器洗浄タンク３０は、図３，６に示すように、下部タンク３１、上部タンク３２、オーバーフロー用排水路３３、洗浄ポンプ３４を備えて構成されている。上部タンク３２は下部タンク３１の上方に配置され、下部タンク３１の後端部において互いに連通している。両タンク３１，３２は、洗浄水Ｗが貯留するための１つの貯水空間を構成している。下部タンク３１は下部収容空間１９内に収容されている。上部タンク３２は、上部空間内に収容され、上部タンク３２の上端側部分は、便鉢部１１の上面よりも上方へ突出している。
【００１９】
便器洗浄タンク３０内には、上部タンク３２の上端面に設けた給水口（図示省略）から洗浄水Ｗが給水される。上部タンク３２の前面には、蛇腹状をなすゴム製の筒状部材からなるオーバーフロー用排水路３３の上流端が接続されている。上部タンク３２内の洗浄水Ｗの水位が適正な水位を超えると、洗浄水Ｗがオーバーフロー用排水路３３内に流出され、後述するようにリム通水路２１Ｌ，２１Ｒを通して便鉢部１１に排出される。
【００２０】
図３に示すように、洗浄ポンプ３４は、上部収容空間１８のうち右側の領域に配置されている。図６に示すように、洗浄ポンプ３４から下方へ延びた便器給水路３５の吸水口３６は、下部タンク３１に連通している。洗浄ポンプ３４には、便器洗浄用吐水路Ａの上流端が接続されている。便器洗浄タンク３０内に貯留されている洗浄水Ｗは、洗浄ポンプ３４により吸い上げられ、便器洗浄用吐水路Ａとリム通水路２１Ｌ，２１Ｒを通して便鉢部１１内に吐水される。
【００２１】
＜便器洗浄用吐水路Ａ＞
便器洗浄用吐水路Ａは、図３，６に示すように、上流端が洗浄ポンプ３４の吐出口（図示省略）に接続された上流側吐水管４０と、上流側吐水管４０の下流端に接続されてリム通水路２１Ｌ，２１Ｒ内に配置される左右２つの下流側吐水管５５Ｌ，５５Ｒとを備えて構成されている。上流側吐水管４０は、上部収容空間１８、つまりリム通水路２１Ｌ，２１Ｒの外部に配置される。上流側吐水管４０は、共用流路４１と分岐流路４２とを備えて構成されている。共用流路４１は、可撓性を有するホースからなり、上流端が洗浄ポンプ３４に接続されている。
【００２２】
図１に示すように、分岐流路４２は、合成樹脂製の分岐管４３と、蛇腹状をなして伸縮可能なゴム製の連結管５０と、合成樹脂製の継手５１とを組み付けて構成されている。分岐管４３は、後方に開口する共用接続口４４と、共用接続口４４の下流側で分岐して左右方向外向きに延びる一対の分岐部４５Ｌ，４５Ｒとを有している。共用接続口４４には、共用流路４１の下流端が接続されている。左側の分岐部４５Ｌは、軸線を左右方向に向けて比較的長く延びた形態である。
【００２３】
右側の分岐部４５Ｒの下流端部には、前方に開口する接続筒部４６が形成されている。接続筒部４６の外周の前端部には、シール用のＯリング４７が取り付けられている。接続筒部４６の外周のうちＯリング４７よりも後方の位置には、周方向に間隔を空けた複数のロック突起４８（請求項記載の固定部）が形成されている。接続筒部４６の前端の開口縁には、左右一対の位置決め凹部４９が形成されている。
【００２４】
左側の分岐部４５Ｌは、軸線を左右方向（右側の分岐部４５Ｒと平行）に向けているが、右側の分岐部４５Ｒに比べて短い。左側の分岐部４５Ｌの下流端には、連結管５０の上流端が略同軸状に接続されている。連結管５０の下流端には、継手５１が接続されている。継手５１は、前方に開口する筒状連通部５２を有する。継手５１には、筒状連通部５２を略同軸状に包囲する形態の筒状接続部５３が形成されている。筒状接続部５３の前端部には、シール用のＯリング４７が取り付けられている。筒状接続部５３の外周のうちＯリング４７よりも後方の位置には、周方向に間隔を空けた複数のロック突起４８（請求項記載の固定部）が形成されている。筒状接続部５３の前端の開口縁には、左右一対の位置決め凹部４９が形成されている。
【００２５】
筒状接続部５３の後側の開口部には、軸線を前後方向に向けたオーバーフロー用排水路３３の下流端が、接続されている。筒状接続部５３の内部空間のうち、筒所接続部の内周と筒状連通部５２の外周との間の空間は、オーバーフロー水を前方へ流すための貫通路５４となっている。
【００２６】
右側の下流側吐水管５５Ｒは、合成樹脂製であり、軸線を前後方向に向けた状態で右側のリム通水路２１Ｒ内に配置される。右側の下流側吐水管５５Ｒの前端面には、洗浄水Ｗを前方に向けて吐出するための吐水口５６Ｒが開口している。左側の下流側吐水管５５Ｌは、合成樹脂製であり、軸線を前後方向に向けた状態で左側のリム通水路２１Ｌ内に配置される。左側の下流側吐水管５５Ｌの前端部の外周面には、洗浄水Ｗを左側方に向けて吐出するための吐水口５６Ｌが開口している。左右両下流側吐水管５５Ｌ，５５Ｒの上流端部（後端部）には、夫々、鍔状の係止部５７が形成されている。また、この係止部５７の外周には、左右一対の位置決め突起５８が形成されている。
【００２７】
また、左側の下流側吐水管５５Ｌは、洗浄時に洗浄水Ｗを流すための筒状連通部５２だけでなく、上部タンク３２内のオーバーフロー水を流すための貫通路５４にも連通している。そのため、左側の下流側吐水管５５Ｌの吐水口５６Ｌから侵入した虫等の異物が、オーバーフロー用排水路３３を通って便器洗浄タンク３０内に到達してしまうことが懸念される。そこで、本実施例１では、左側の下流側吐水管５５Ｌの外周のフランジ状をなす係止部５７に、網状のフィルタ５９を形成している。このフィルタ５９は、筒状接続部５３の前面の開口のうち貫通路５４と対応する開口領域を覆うように組み付けられる。したがって、フィルタ５９においては、オーバーフロー用排水路３３から洗浄水Ｗが流出することは許容するが、固形状の異物がオーバーフロー用排水路３３内に浸入することが阻止される。
【００２８】
本実施例１の便器洗浄用吐水路Ａは、次のようにして便器本体１０に固定される。固定の作業は、まず、左右の下流側吐水管５５Ｌ，５５Ｒを、上流側吐水管４０の分岐流路４２の下流端部に仮組みする。具体的には、右側の下流側吐水管５５Ｌ，５５Ｒの後端部を、接続筒部４６に対し前方から嵌入し、位置決め突起５８を位置決め凹部４９に嵌合することによって周方向に位置決めする。そして、係止部５７を接続筒部４６の前端面に当接させる。また、左側の下流側吐水管５５Ｌ，５５Ｒの後端部は、筒状接続部５３に対し前方から嵌入し、位置決め突起５８を位置決め凹部４９に嵌合することによって周方向に位置決めする。そして、係止部５７を筒状接続部５３の前端面に当接させる。仮組み状態では、下流側吐水管５５Ｌ，５５Ｒと分岐流路４２は、その嵌合部における摩擦力によって一体化された状態に保持される。
【００２９】
左右両下流側吐水管５５Ｌ，５５Ｒを分岐流路４２に仮組みした後は、仮組み状態のまま、左右の下流側吐水管５５Ｌ，５５Ｒを、夫々、対応するリム通水路２１Ｌ，２１Ｒに後方から挿入する。下流側吐水管５５Ｌ，５５Ｒが正規位置まで挿入され、下流側吐水管５５Ｌ，５５Ｒの全体がリム通水路２１Ｌ，２１Ｒ内に収容されると、固定具２３のロック部２４が、接続筒部４６のロック突起４８又は筒状接続部５３のロック突起４８に係止する。この係止により、分岐流路４２（上流側吐水管４０）は、固定具２３及び便器本体１０の後壁部２０に対し、後方への離脱を規制された状態に固定される。分岐流路４２を固定した状態では、Ｏリング４７が固定具２３のシール面２５に密着することにより、便器洗浄用吐水路Ａと取付孔２２との隙間が液密状にシールされる。また、上流側吐水管４０は、リム通水路２１Ｌ，２１Ｒの外部に配置される。
【００３０】
また、下流側吐水管５５Ｌ，５５Ｒが正規位置まで挿入されると、固定具２３の規制部２６に対して係止部５７が後方から当接するとともに、この係止部５７に対して接続筒部４６又は筒状接続部５３が後方から当接する。つまり、係止部５７が、規制部２６と接続筒部４６との間、又は規制部２６と筒状接続部５３との間で前後に挟み付けられて移動規制される。このように、上流側吐水管４０と下流側吐水管５５Ｌ，５５Ｒを、仮組みして一体化させた状態で、固定具２３を介して後壁部２０に組み付けると、ロック部２４とロック突起４８との係止作用と、係止部５７が挟み付けられる構造とにより、上流側吐水管４０と左右両下流側吐水管５５Ｌ，５５Ｒの両方が、便器本体１０に固定される。
【００３１】
上述のように本実施例１の便器洗浄用吐水路Ａは、リム通水路２１Ｌ，２１Ｒの外部に配置される上流側吐水管４０と、リム通水路２１Ｌ，２１Ｒ内に臨む吐水口５６Ｌ，５６Ｒを有し、上流側吐水管４０に対して着脱可能な下流側吐水管５５Ｌ，５５Ｒとを備えて構成されている。この構成の技術的意義は、次の通りである。本実施例１の便器洗浄用吐水路Ａは、上流側吐水管４０と下流側吐水管５５Ｌ，５５Ｒとに分離した形態としているので、リム通水路２１Ｌ，２１Ｒの形状や長さ等の形態が異なる複数種類の便器本体１０に対応させる場合は、上流側吐水管４０を共通部品とし、下流側吐水管５５Ｌ，５５Ｒをリム通水路２１Ｌ，２１Ｒの形態に応じた複数種類の部品を製造することができる。この場合、下流側吐水管５５Ｌ，５５Ｒを成型するための金型（図示省略）は、便器洗浄用吐水路Ａを単一部品として製造するための金型（図示省略）に比べて小型となるから、金型コストが安価に抑えられる。したがって、下流側吐水管５５Ｌ，５５Ｒの種類数が増えても、製造コストを極力低く抑えることが可能である。
【００３２】
また、本実施例１では、リム通水路２１Ｌ，２１Ｒの上流端が便鉢部１１の左右に分岐して配置されている。そこで、上流側吐水管４０に、二股に分岐した形態の分岐流路４２を設け、この分岐流路４２に、左右一対の下流側吐水管５５Ｌ，５５Ｒを離脱可能に接続している。この構成によれば、左右の各リム通水路２１Ｌ，２１Ｒの形態の相違に対して、下流側吐水管５５Ｌ，５５Ｒを個別に対応させることができる。
【００３３】
また、上流側吐水管４０の下流端部には、上流側吐水管４０を便器本体１０に固定するロック突起４８を設け、下流側吐水管５５Ｌ，５５Ｒの上流端部に係止部５７を形成している。さらに、便器本体１０に固定具２３を組み付け、この固定具に、ロック突起４８に係止することで、上流側吐水管４０を便器本体１０に固定するロック部２４と、係止部５７を上流側吐水管４０との間で挟み付けることで、下流側吐水管５５Ｌ，５５Ｒの上流側吐水管４０に対する相対変位を規制する規制部２６を設けている。
【００３４】
この構成によれば、便器本体１０に対して上流側吐水管４０を固定するためのロック突起４８を利用して、下流側吐水管５５Ｌ，５５Ｒを便器本体１０に固定できるので、上流側吐水管４０と下流側吐水管５５Ｌ，５５Ｒを別々の固定手段で個別に便器本体１０に固定する場合に比べて、部品点数と作業工数を削減することが可能である。
【００３５】
＜他の実施例＞
本発明は上記記述及び図面によって説明した実施例に限定されるものではなく、例えば次のような実施例も本発明の技術的範囲に含まれる。
（１）上記実施例１では、上流側吐水管に分岐流路を設け、１本の上流側吐水管に２本の下流側吐水管を接続したが、本発明は、上流側吐水管に分岐流路を形成せず、１本の上流側吐水管に接続される下流側吐水管を、１本だけとした便器洗浄用吐水路にも適用できる。
（２）上記実施例１では、下流側吐水管の全体が、リム通水路の内部に収容されるようにしたが、下流側吐水管の全体がリム通水路の外部に配置されてもよく、下流側吐水管のうちの下流側部分だけがリム通水路内に収容されていてもよい。
（３）上記実施例１では、上流側吐水管を便器本体に固定することによって、下流側吐水管が便器本体に固定されるようにしたが、便器本体に対する上流側吐水管の固定構造とは別に、便器本体に対する下流側吐水管の専用の固定構造を設けてもよい。
（４）上記実施例１では、便器洗浄タンクの大部分を便鉢部上面よりも低い位置に配置して、便器洗浄タンク内の洗浄水を洗浄ポンプで吸い上げてリム通水路に吐水するようにしたが、本発明は、便器洗浄タンクを便鉢部上面よりも高い位置に配置した場合にも適用できる。
（５）上記実施例１では、上流側吐水管と下流側吐水管を合体させて、１つの固定部（ロック突起）によって便器本体に固定したが、上流側吐水管と下流側吐水管は、別々の固定手段によって個別に便器本体に固定してもよい。
（６）上記実施例１では、分岐流路の左側の下流端部と、オーバーフロー用排水路の下流端部とを合体させて、共通の取付孔で便器本体に固定したが、分岐流路とオーバーフロー用排水路は、互いに異なる位置で便器本体に別々に固定してもよい。
【符号の説明】
【００３６】
Ａ…便器洗浄用吐水路
Ｗ…洗浄水
１０…便器本体
１１…便鉢部
２１Ｌ…リム通水路
２１Ｒ…リム通水路
２３…固定具
２４…ロック部
２６…規制部
４０…上流側吐水管
４２…分岐流路
５５Ｌ…下流側吐水管
５５Ｒ…下流側吐水管
５６Ｌ…吐水口
５６Ｒ…吐水口
５７…係止部
５８…ロック突起（固定部）
【図１】
2014114637.tif 000003
【図２】
2014114637.tif 000004
【図３】
2014114637.tif 000005
【図４】
2014114637.tif 000006
【図５】
2014114637.tif 000007
【図６】
2014114637.tif 000008